(57)【特許請求の範囲】
【請求項１】
ガスを燃焼するバーナーと、燃焼により発生した排ガスと外部より取り込んだ空気を混合する燃焼室と、対流用フィルターを介して対流用空気を取り入れ、温風を送出するための対流用ファンで構成された温風暖房部と、前記温風暖房部の上部に設けられた空気清浄部を備え、前記空気清浄部は、空気を前記空気清浄部の前方より吸引する吸込口と、前記空気のほこりや臭いを除去する空気清浄用フィルターと、前記空気清浄用フィルターを介して前記空気を吸引するシロッコ式の空気清浄用ファンと、前記空気清浄用ファンからの空気を前記空気清浄部の上方に吹出す２個の吹出し口で構成され、前記空気清浄用ファンは、モーターと、前記モーターの両軸に設けた羽根と、前記羽根の両側面を囲む隔壁とを有する空気清浄機付温風暖房装置。
【請求項２】
空気清浄用ファンの吹き出し口から流出する空気は、背面側より斜め上方向に送風する請求項１記載の空気清浄機付温風暖房装置。
【発明の詳細な説明】
【０００１】
【発明の属する技術分野】
本発明は空気清浄機付温風暖房装置の構成に関するものである。
【０００２】
【従来の技術】
従来の空気清浄機付の温風暖房装置を図４に示す。バーナー１にて供給されたガスの燃焼を行う。燃焼により発生した排ガスと空気を混合する燃焼室２がある。バーナー１の下方には温風３を送出すための対流ファン４を設けている。対流ファン４の前方には温風吹出口５が取りつけられている。ケース６の後面には対流用空気７を取り入れるための対流用フィルター８がある。その内側にはほこりや臭いを除去するための空気清浄用フィルター９を取り付けている。空気清浄用フィルター９は、においを吸着する活性炭等からなる脱臭部と、ほこりの粒子を取る綿状あるいは粒状の集塵部からなる。
【０００３】
次にその動作について説明する。バーナー１でガスを燃焼させ、発生する高温の燃焼排ガス１０と、燃焼室２の燃焼風路１１内で対流用フィルター８と空気清浄用フィルター９を通過した対流用空気７ａが混合される。混合された温風は、対流用ファン４によって前面下部の温風吹出口５から温風３となって送出され、暖房を行う。
【０００４】
また、空気中に含まれるたばこの粒子やほこりは、空気清浄用フィルター９を通過する際に、綿状または粒状になっている集塵部に付着する。細かい粒子は、この綿状粒状の集塵部が細かく、しかも通過する距離が長いほど付着される。
においは、活性炭等で構成されている脱臭部に吸着することにより脱臭される。
【０００５】
【発明が解決しようとする課題】
一般的にほこりの集塵率と臭気の除去率を向上させるためには、空気清浄用フィルターの目を細かくして、しかも厚さを厚くして空気と接触する面積をふやしてやる必要がある。しかしながら上記のような従来の風路構成では、前記のような空気清浄用フィルターを取りつけると抵抗が大きく圧損が増え、対流用空気が減って、温風温度が上昇してしまう。そのため、集塵性能が高く目の細かい空気清浄用フィルターを取り付けることができず、集塵性能が低くなり、ほこりやにおいを迅速に取ることができない。
【０００６】
また温風温度を下げるためには対流用ファンの回転数を上げる必要があり、そうすると騒音が上昇してしまう。
【０００７】
さらに、暖房運転時には、対流用ファンにより温風を温風吹出口一ヵ所より吹き出して暖房しているため、天井付近ほど室温が高くなってしまい、なかなか室温が均一にならない。
【０００８】
また、温風暖房機に本格的空気清浄機能を付加しようとしても、高さが高くなったり、奥行が厚くなり、コンパクトにはならない。
【０００９】
【課題を解決するための手段】
本発明は上記課題を解決するために、ガスを燃焼するバーナーと、燃焼により発生した排ガスと外部より取り込んだ空気を混合する燃焼室と、対流用フィルターを介して対流用空気を取り入れ、温風を送出するための対流用ファンで構成された温風暖房部と、前記温風暖房部の上部に設けられた空気清浄部を備え、前記空気清浄部は、空気を前記空気清浄部の前方より吸引する吸込口と、前記空気のほこりや臭いを除去する空気清浄用フィルターと、前記空気清浄用フィルターを介して前記空気を吸引するシロッコ式の空気洗浄用ファンと、前記空気清浄用ファンからの空気を前記空気清浄部の上方に吹出す２個の吹出し口で構成され、前記空気清浄用ファンは、モーターと、前記モーターの両軸に設けた羽根と、前記羽根の両側面を囲む隔壁とを有する構成になっている。
【００１０】
この本発明によれば、空気清浄用ファンは、モーターに両軸のシロッコ式ファンを設けることにより、圧損に対しても強く、大きな風量を得ることができ、ほこりやにおいを十分に取る集塵効率が高く目の細かい表面積の大きい空気清浄用フィルターを取り付けることが可能になり、集塵効率・臭気除去率が向上する。さらに、両軸に羽根を設けたシロッコファンにより、温風暖房部の上部に空気清浄部を設ける場合に、２００ｍｍ程度高さを高くすれば実現でき、コンパクトな形状にすることが可能になる。
【００１１】
【発明の実施の形態】
請求項１記載の発明はガスを燃焼するバーナーと、燃焼により発生した排ガスと外部より取り込んだ空気を混合する燃焼室と、対流用フィルターを介して対流用空気を取り入れ、温風を送出するための対流用ファンで構成された温風暖房部と、前記温風暖房部の上部に設けられた空気清浄部を備え、前記空気清浄部は、空気を前記空気清浄部の前方より吸引する吸込口と、前記空気のほこりや臭いを除去する空気清浄用フィルターと、前記空気清浄用フィルターを介して前記空気を吸引するシロッコ式の空気洗浄用ファンと、前記空気清浄用ファンからの空気を前記空気清浄部の上方に吹出す２個の吹出し口で構成され、前記空気清浄用ファンは、モーターと、前記モーターの両軸に設けた羽根と、前記羽根の両側面を囲む隔壁とを有するものである。風路の圧損に対して強いため、抵抗の大きな効率の高い空気清浄用フィルターを装着でき、集塵効率を上げることができる。さらに温風暖房機の上部に配置するには、高さ方向に２００ｍｍほど高くなるだけでコンパクトな形状にできる。
【００１２】
請求項２記載の発明は、空気清浄用ファンの空気吹き出し部が後部になるように配置し、背面側より斜め前上方向に送風する構成としたものである。吹き出し口を後部にし、背面より斜め前上方向に送風することにより、空気清浄用ファンの上部機器前方側に空間を設けることができ、操作部を機器の上面前側に配置することができる。よって手前で操作でき、操作性が向上し、さらに機器上面をすっきりとすることができる。
【００１３】
【実施例】
以下、本発明の実施例について図面に基ずいて説明する。
【００１４】
（実施例１）
図１は本発明の実施例における空気清浄機付のガス温風暖房装置の断面図を示すものである。図２は、本発明の実施例における空気清浄機付のガス温風暖房装置の空気清浄部の空気清浄用ファンの正面図である。
【００１５】
図１において，温風暖房部は従来例と同一であり、説明は省略する。
【００１６】
１２は空気清浄用の吸込口で、図１に示すように機器の前方より矢印で示す空気を吸引するものである。１３はほこりや臭いを除去するための空気清浄用フィルターであり、においを吸着する活性炭等からなる脱臭部と、ほこりの粒子を取る綿状あるいは粒状の集塵部からなり、吸込口１２の内側に取り付けられる。１４は図１に示すように機器の上方に空気を吹出す吹出口であり、２ヵ所設けられている。その下部には、空気清浄用ファン１５が空気清浄風路１７の中に取り付けられる。図２において、空気清浄用ファン１５には、モーター１８とその両軸にシロッコ式の羽根１９が連結されている。そして、図２に示すようにモータ１８の両軸である左右の軸には羽根１９が設けられているから、吹き出し口１４は２ヵ所にすることができる。また、２個の羽根１９は図２に示すように両側面を隔壁１５ａで囲まれ、矢印１６ｃで示すように空気をそれぞれの羽根１９が両側面の吸い込み口から吸引し、矢印１６ｂで示すように空気を上部に吹出すものである。
【００１７】
次にその動作について説明する。図１において、空気清浄用ファン１５のモーター１８が回転することにより、両軸につけられた羽根１９が回転して空気清浄用空気１６ａが吸込口１２より吸い込まれ、空気清浄用フィルター１３でほこりやにおいが除去され、吹出口１４よりきれいになつた空気１６ｂが吹き出される。図２において、空気清浄用ファン１５の４箇所の吸い込み口から吸引された空気１６Ｃは、羽根１９の回転によって上部に吹き出される（１６ｂ）。
【００１８】
温風暖房部（燃焼室２）と完全に独立し、しかも高回転で回転でき、圧力損失に対して強いシロッコ式のファンにすることにより、ほこりや臭いを十分に取る目が細かく表面積の大きい空気清浄用フィルター１３を取り付けられるため、集塵効率・臭気除去率が向上し、迅速にほこり・においを除去できる。
【００１９】
また暖房運転時に、混合された温風は、対流ファン４によって前面下部の温風吹出口５から温風３となって送出され、暖房を行う。温風３は機器の前方に吹き出されるが、温風は風速がなくなると温度が高いため、室内の高い方へと上昇する。暖房運転時に空気清浄用ファン１５を運転させることにより、天井付近にある温度の高い空気を攪拌して、室温を均一にできる。
【００２０】
空気清浄部を上部に設け、しかもシロッコ式の両軸の空気清浄用ファンを設けることにより、奥行を厚くせずに、２００mm程度の高さの増加だけで、空気清浄部と温風暖房部を一つの機器におさめることができ、コンパクト化することが可能である。
【００２１】
また、吹き出し口１４を２個設けることができ、吹き出し面積を増やせるため、吹き出し風速を低下でき、運転騒音を低減できる。
【００２２】
（実施例２）
図３において温風暖房部は従来例と同一であり、説明は省略する。空気清浄用ファン１５の吹き出し部２１が機器後面になるように配置している。つまり、機器の右側面からみると、反時計方向に羽根を回転させ、吸い込まれた空気は、図３に示すように機器背面側から斜め前上方向に送風される。操作部２０は、空気清浄用ファン１５の上方に設けられている。この空気清浄用ファン１５の配置により、機器上面の空気清浄用ファン１５の上部前方に空間を設けられるため、そこに操作部２０を配置できる。よって、機器上面の前側で操作でき、操作性が向上する。
【００２３】
【発明の効果】
以上のように本発明によれば、温風暖房部の上部に空気清浄部を設け、しかもシロッコ式の両軸の空気清浄用ファンを設けることにより、集塵性能の高い圧力損失の大きな空気清浄用フィルターを装着することができ、集塵性能・臭気除去性能が向上し、迅速ににおい・ほこりを除去できる。
【００２４】
さらに奥行を厚くせずに、２００mm程度の高さの増加だけで、空気清浄部と温風暖房部を一つの機器におさめることができ、コンパクト化することが可能である。
【００２５】
また燃焼により発生した温風を対流用ファンにより機器前方に送出する際に、空気清浄用ファンを運転して、天井付近にある温度の高い空気を攪拌させ、室温を均一化することができ、快適な暖房にすることができる。
【００２６】
さらに空気清浄用ファンの配置により、機器上面の空気清浄用ファン斜め上部に空間を設けられるため、そこに操作部を配置できる。よって機器上面の前側で操作でき、操作性が向上する。
【図面の簡単な説明】
【図１】  本発明の実施例１における空気清浄機付温風暖房装置の断面図
【図２】  同装置の空気清浄部の正面図
【図３】  本発明の実施例２における空気清浄機付温風暖房装置の断面図
【図４】  従来の空気清浄機付温風暖房装置の断面図
【符号の説明】
１  バーナー
２  燃焼室
４  対流用ファン
１３  空気清浄用フイルター
１４  吹き出し口
１５  空気清浄用ファン
１８  モーター
１９  羽根
２１  吹き出し部
【図１】
0003861399.tif 000002
【図２】
0003861399.tif 000003
【図３】
0003861399.tif 000004
【図４】
0003861399.tif 000005